(57)【要約】      （修正有）【課題】通気性が高く、かつ歩行性に優れたシューズを提供する。【解決手段】アウトソール６上にインソールを備えたシューズにおいて、インソールは、通気性を有し、アウトソール６は、互いに連通する複数の溝６１〜６４と、該複数の溝６１〜６４の少なくとも１つに接続された開口部６５とを備え、複数の溝６１〜６４のうちの第１の溝６１は、アウトソール６の足指の付け根を支持する領域に配置され、足の幅方向に延在し、足の長さ方向に並べて配置され、配置間隔は足の幅方向の内側ｄ２よりも外側ｄ１の方が大きい。【選択図】図４
0003225442.tif 000002
【実用新案登録請求の範囲】
【請求項１】
アウトソール（６）上にインソール（５）を備えたシューズ（１０）において、
前記インソール（５）は、通気性を有し、
前記アウトソール（６）は、互いに連通する複数の溝（６１〜６４）と、該複数の溝（６１〜６４）の少なくとも１つに接続された開口部（６５）とを備え、
前記複数の溝（６１〜６４）のうちの第１の溝（６１）は、
前記アウトソール（６）の足指の付け根を支持する領域に配置され、
足の幅方向に延在し、足の長さ方向に並べて配置され、
配置間隔は足の幅方向の内側よりも外側の方が大きい
シューズ（１０）。
【請求項２】
前記複数の溝（６１〜６４）のうちの第２の溝（６２）は、
足の長さ方向へ延在し、前記複数の第１の溝（６１）と交差する
請求項１に記載のシューズ（１０）。
【請求項３】
前記複数の溝（６１〜６４）のうちの第３の溝（６３）は、
前記アウトソール（６）の足のかかとを支持する領域に配置され、
足の幅方向に延在して前記第２の溝（６２）と交差する
請求項２に記載のシューズ（１０）。
【請求項４】
前記複数の溝（６１〜６４）のうちの第４の溝（６４）は、
前記アウトソール（６）の足の土踏まずを支持する領域に配置され、
前記第２の溝（６２）と前記開口部（６５）とを接続する
請求項２又は３に記載のシューズ（１０）。
【請求項５】
前記開口部（６５）は、
前記アウトソール（６）の土踏まずを支持する領域の足の幅方向内側に配置される
請求項１〜４のいずれか一項に記載のシューズ（１０）。
【請求項６】
前記インソール（５）は、
前記アウトソール（６）上の基材層（５１）と、
前記基材層（５１）上の樹脂層（５２）とを備える
請求項１〜５のいずれか一項に記載のシューズ（１０）。
【請求項７】
前記インソール（５）は、
前記樹脂層（５２）上に印刷層（５３）を備える
請求項６に記載のシューズ（１０）。
【考案の詳細な説明】
【技術分野】
【０００１】
本考案は、シューズに関する。
【背景技術】
【０００２】
一般的に、シューズは通気性が低く、内部が蒸れやすい。蒸れによる着用者の不快感を減らすために、従来、シューズの通気性の改善が図られている。
【０００３】
例えば靴底の上面に外部と通じる条溝が形成された靴が提案されている（特許文献１及び２参照）。またソールに形成された通気路とヒールに設けられたポンプ装置とにより、換気を行うシューズが提案されている（特許文献３参照）。
【先行技術文献】
【特許文献】
【０００４】
【特許文献１】特許第５２４８８７９号
【特許文献２】実用新案登録第３１８５３５５号
【特許文献３】特許第５０４３２４７号
【考案の概要】
【考案が解決しようとする課題】
【０００５】
通気性のためにソールに溝が形成される場合、溝の位置や延在する方向によっては歩行時の足の動きにソールが追従せず、着用者が違和感を覚えることがある。
【０００６】
本考案は、通気性が高く、かつ歩行性に優れたシューズの提供を目的とする。
【課題を解決するための手段】
【０００７】
本考案の一態様のシューズ（１０）は、アウトソール（６）上にインソール（５）を備え、インソール（５）は、通気性を有し、アウトソール（６）は、互いに連通する複数の溝（６１〜６４）と、該複数の溝（６１〜６４）の少なくとも１つに接続された開口部（６５）とを備え、複数の溝（６１〜６４）のうちの第１の溝（６１）は、アウトソール（６）の足指の付け根を支持する領域に配置され、足の幅方向に延在し、足の長さ方向に並べて配置され、配置間隔は足の幅方向の内側よりも外側の方が大きい。
【考案の効果】
【０００８】
本考案によれば、通気性が高く、かつ歩行性に優れたシューズを提供することができる。
【図面の簡単な説明】
【０００９】
【図１】本実施形態のシューズの外観を示す斜視図である。
【図２】ソールをインソール側から示す上面図である。
【図３】ソールのＩＩ−ＩＩ断面図である。
【図４】アウトソールのインソール側の表面を示す上面図である。
【図５Ａ】足が接地しているときのアウトソールを示す斜視図である。
【図５Ｂ】足が地面を蹴り上げるときのアウトソールを示す斜視図である。
【考案を実施するための形態】
【００１０】
以下、本考案のシューズの実施の形態について、図面を参照して説明する。以下に説明する構成は、本考案の一実施態様としての一例（代表例）であり、これに限定されない。
【００１１】
なお以下の説明において、図面中の方向Ｙは足の長さ方向を表し、方向Ｘは長さ方向Ｙに直交する足の幅方向を表す。長さ方向Ｙの前側とは、図面中の方向Ｙ１で表す足指側をいう。長さ方向Ｙの後側とは、図面中の方向Ｙ２で表す足のかかと側をいう。
【００１２】
また足の内側とは、幅方向Ｘにおいて揃えた両足の一方から他方へ向かう方向をいい、図面中の方向Ｘ１で表される。足の外側とは内側の反対方向をいい、図面中の方向Ｘ２で表される。
【００１３】
（シューズ）
図１は、本発明の一実施形態のシューズ１０の外観を示す。
本実施形態のシューズ１０は、アッパー１及びソール２を備えて構成される。
【００１４】
アッパー１は、足を覆って保護する。アッパー１の素材としては特に限定されず、例えば天然皮革、合成皮革、人工皮革等の皮、天然繊維又は化学繊維を用いた布地、ゴム等が挙げられる。
【００１５】
（ソール）
図２は、ソール２の上面図である。図３は、図２のII−II線における断面図である。
【００１６】
ソール２は、第１領域３１、第２領域３２及び第３領域３３を有する。長さ方向Ｙにおいて、第１領域３１は足の土踏まずより前側を支持し、第２領域３２は足の土踏まずを含む中間を支持し、第３領域３３は足の土踏まずより後側を支持する。
【００１７】
ソール２は、インソール５及びアウトソール６を備える。また本実施形態のソール２は、長さ方向Ｙの後側にヒール７を備える。
【００１８】
（インソール）
インソール５は、アウトソール６上に配置される。インソール５は、通気性及び吸水性を有する。
【００１９】
本実施形態のインソール５は、基材層５１、樹脂層５２及び印刷層５３を備える。インソール５を構成する各層は、通気性及び吸水性を有する。
【００２０】
基材層５１は、インソール５の支持体であり、アウトソール６上に配置される。通気性及び吸水性を有する基材層５１としては特に限定されず、例えば不織布、織布等を使用することができる。
【００２１】
樹脂層５２は、基材層５１上に配置される。樹脂層５２は、基材層５１の表面を保護するとともに印刷層５３の形成を容易にする。樹脂層５２に用いることができる樹脂としては、例えばポリウレタン（ＰＵ）、エチレン−酢酸ビニル共重合体（ＥＶＡ）等が挙げられる。
【００２２】
通気性及び吸水性を有する樹脂層５２は、例えば基材層５１上に樹脂膜を形成して発泡させることにより、厚み方向に連通する空隙を有する多孔質の樹脂膜として形成することができる。
【００２３】
また樹脂層５２は、例えば通気性及び吸水性、具体的には水蒸気透過性が高い樹脂を用いて形成することもできる。水蒸気透過性が低い樹脂であっても、当該樹脂膜を基材層５１上に形成した後に針等でインソール５の面全体に貫通孔を設けることにより、通気性及び吸水性を付与してもよい。
【００２４】
印刷層５３は、樹脂層５２上に配置される。印刷層５３によれば、インソール５の表面に色を付して皮の質感を付与する等、インソール５の意匠性を高めることができる。印刷層５３は、インクを用いて樹脂層５２上に印刷することにより形成することができる。
【００２５】
本実施形態のインソール５は、基材層５１と樹脂層５２との間にクッション４を備える。クッション４は、第２領域３２の内側に配置され、足の土踏まず部分を支持する。
【００２６】
クッション４は、通気性、吸水性及び弾力性を有する。本実施形態では、そのようなクッション４として、インソール５の厚み方向に貫通孔４１が設けられたポリウレタン製のパッドが配置されている。なおクッション４の素材は特に限定されず、シリコーン等の樹脂製のパッドや綿等のパッドを使用できる。
【００２７】
（アウトソール）
アウトソール６は、インソール５の下に配置される。図４は、アウトソール６のインソール５側の表面を示す。
【００２８】
本実施形態のアウトソール６は、インソール５側の表面に、４つの第１の溝６１、第２の溝６２、第３の溝６３及び２つの第４の溝６４を備える。またアウトソール６は、シューズ１０の外部に通じる開口部６５を備える。
【００２９】
（第１の溝）
第１の溝６１は、第１領域３１のうち、足指の付け根を支持する領域に配置され、幅方向Ｘに延在する。
【００３０】
４つの第１の溝６１は、長さ方向Ｙに並べて配置される。各第１の溝６１の長さ方向Ｙにおける配置間隔は、足の内側よりも外側の方が大きい。そのため、第１の溝６１は、親指の付け根側から小指の付け根側に放射状に延びる。
【００３１】
一般的に、着地していた足が地面を離れる時、体重はかかとから小指の付け根付近へと移動した後、幅方向Ｘ内側の親指の付け根付近へと移動する。この長さ方向Ｙ後側から前側への体重移動の際、幅方向Ｘの中心を移動するのではなく中心よりも外側を移動する。
【００３２】
上記体重の移動に伴ってかかとが地面から離れ、足の土踏まず付近から指の付け根部分までがアーチを描いて曲がる。この足の動きに応じてアウトソール６も曲がるが、第１の溝６１の外側の配置間隔ｄ１の方が内側の配置間隔ｄ２よりも大きいアウトソール６は、体重が外側を移動する足の裏の形に沿って曲がりやすい。
【００３３】
アウトソール６が足の動きに追従するため、着用者は自然な歩行が可能であり、歩行性に優れたシューズ１０を提供できる。
【００３４】
（第２の溝）
第２の溝６２は、足の長さ方向Ｙに延在する。本実施形態において、第２の溝６２は、幅方向Ｘの略中心に配置され、第１領域３１、第２領域３２及び第３領域３３を通る。
【００３５】
本実施形態の第２の溝６２は、４つの第１の溝６１及び第３の溝６３と交差し、第４の溝６４に接続される。したがって、複数の溝６１〜６４は、第２の溝６２を介して互いに連通する。
【００３６】
（第３の溝）
第３の溝６３は、第３領域３３のうち、足のかかとを支持する領域に配置される。第３の溝６３は、足の幅方向Ｘに延在して、第２の溝６２と交差する。
【００３７】
（第４の溝）
第４の溝６４は、第２領域３２のうち、足の土踏まずを支持する領域に配置される。第４の溝６４は、第２の溝６２と開口部６５とを接続する。
【００３８】
本実施形態において、２つの第４の溝６４は、第２の溝６２の長さ方向Ｙの前側及び後側のそれぞれからアウトソール６の外周面に向けて延在し、開口部６５へ至る。開口部６５へ至る経路が前後に２つあるため、換気効率が向上する。
【００３９】
（開口部）
開口部６５は、アウトソール６の外周面に設けられる。開口部６５は、複数の溝６１〜６４のうち、第４の溝６４に接続される。
【００４０】
開口部６５は、足の土踏まずを支持する領域の幅方向Ｘ内側に配置される。この配置によれば、開口部６５が目立たず、シューズ１０の意匠性が損なわれにくい。また長さ方向Ｙの前側と後側の両方の換気が容易になる。
【００４１】
（ヒール）
ヒール７は、足のかかとの高さ調整のために必要に応じて設けられる。ヒール７は、アウトソール６を保護する観点から、アウトソール６よりも硬い素材、例えばＴＰＵ（熱可塑性ポリウレタン）等を使用することができる。
【００４２】
上記シューズ１０は、例えばアッパー１の外周とインソール５の外周とを縫い合わせ、アッパー１が設けられたインソール５を、アウトソール６の各溝６１〜６４及び開口部６５を除く表面に接着させ、反対側の表面にヒール７を接着させることにより製造できる。
【００４３】
シューズ１０の製造方法は上記に限定されない。例えばアッパー１、インソール５及びアウトソール６がすべて接着剤で結合されてもよい。
【００４４】
（換気作用）
シューズ１０は、内部の換気が可能である。以下、シューズ１０の換気作用を説明する。
【００４５】
シューズ１０内の空気はインソール５を通過してアウトソール６の溝６１〜６４へと流入する。溝６１〜６４は開口部６５に繋がるため、開口部６５を介して溝６１〜６４から外部へ排気されるとともに外部から溝６１〜６４へ給気される。
【００４６】
なおインソール５は吸水性も有するため、シューズ１０内に水が入り込んだ場合も同様に、インソール５からアウトソール６へ、アウトソール６から外部へと水を排出することができる。
【００４７】
アウトソール６の溝６１〜６４は、歩行時の足の動きに応じて内部の圧力変化が生じるため、換気を促進するポンプとして機能することができる。
【００４８】
図５Ａは、足が接地しているときのアウトソール６を示す。図５Ｂは、足が地面を蹴り上げるときのアウトソール６を示す。
【００４９】
地面を蹴り上げる足の動きによってアウトソール６が曲がると、第１の溝６１が圧迫される。この圧迫により、第１の溝６１だけでなく第１の溝６１に通じる他の溝６２〜６４の内部も加圧状態となる。その結果、第１の溝６１及び第３の溝６３内の空気は第２の溝６２及び第４の溝６４を経由して開口部６５から外部へ排気される。
【００５０】
第１の溝６１の外側の配置間隔ｄ１の方が内側の配置間隔ｄ２よりも大きいアウトソール６は、足の裏の形状に沿って曲がりやすく、第１の溝６１が圧迫されやすいため、効率的な加圧が可能である。
【００５１】
一方、足が完全に地面から離れるか、足の全面が接地し、アウトソール６が平面状となると、第１の溝６１の圧迫がなくなる。各溝６１〜６４の内部が減圧状態となるため、開口部６５から外部の空気が第４の溝６４及び第２の溝６２を経由して第１の溝６１及び第３溝６３へと流入する。
【００５２】
このように、本実施形態のシューズ１０は、複数の溝６１〜６４内の圧力変化によってポンプ作用が働き、歩行時に排気と給気が繰り返される。シューズ１０内の通気性を高めることができ、蒸れが少なく、快適なシューズ１０を提供できる。
【００５３】
また第１の溝６１の外側の配置間隔ｄ１の方が内側の配置間隔ｄ２よりも大きいため、アウトソール６が歩行時の足の動きに追従して変形しやすい。着用者は自然な歩行が可能であり、歩行性に優れたシューズ１０を提供できる。
【００５４】
以上、本考案の好ましい実施形態について説明したが、本考案は、これらの実施形態に限定されず、その要旨の範囲内で種々の変形及び変更が可能である。
【００５５】
例えば上述した各溝６１〜６４の数、サイズ及び第１の溝６１の配置間隔ｄ１、ｄ２の長さ等は一例であり、シューズ１０のサイズ及びアウトソール６の屈曲性等に応じて変更してもよい。
【００５６】
また開口部６５の位置は長さ方向Ｙの後側であってもよい。後側は歩行時に地面から離れるため、開口部６５を介してシューズ１０の外部から内部への水の浸入を抑えやすい。ヒール７が高いシューズ１０の場合は特に水が浸入しにくく、後側に位置する開口部６５は好ましい。
【００５７】
また第４の溝６４を介さずに第１の溝６１が開口部６５に直接接続する構成であってもよい。例えば４つの第１の溝６１が幅方向Ｘ内側に延びてアウトソール６の外周面に至る位置にそれぞれ開口部６５が設けられ、各開口部６５に各第１の溝６１が接続されてもよい。
【００５８】
同様に、第２の溝６２及び第３の溝６３が開口部６５に直接接続する構成であってもよい。例えば第２の溝６２が長さ方向Ｙに延び、第３の溝６３が幅方向Ｘに延びて、アウトソール６の外周面に至る位置にそれぞれ開口部６５が設けられ、各開口部６５に第２の溝６２及び第３の溝６３がそれぞれ接続されてもよい。
【符号の説明】
【００５９】
１・・・シューズ、２・・・ソール、５・・・インソール、６・・・アウトソール、６１・・・第１の溝、６２・・・第２の溝、６３・・・第３の溝、６４・・・第４の溝、６５・・開口部
【図１】
0003225442.tif 000003
【図２】
0003225442.tif 000004
【図３】
0003225442.tif 000005
【図４】
0003225442.tif 000006
【図５Ａ】
0003225442.tif 000007
【図５Ｂ】
0003225442.tif 000008